【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
２つの開口から同一平面上に画像を投影する投影手段と、
前記平面又は平面近傍に配置された、前記２つの開口像を観察用の瞳位置に結像する結像手段と、散乱作用を奏して前記２つの開口像を拡大する散乱手段とを有する表示パネルとを備え、
前記結像手段をフレネルレンズで構成するとともに、
前記フレネルレンズの光軸が、前記表示パネルの表示面から外れるように構成したことを特徴とする立体表示装置。
【請求項２】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備える立体表示装置において、
前記投影手段は、更に画像を表示する画像表示素子を有し、
前記表示パネルの投影画像表示面上における、パネル厚と前記散乱手段の散乱角度で決まる錯乱径φと、前記投影手段を介して該表示面上に投影された画像表示素子の画素ピッチΔprojとの関係が次の式で表されることを特徴とする立体表示装置。
φ＜１０Δproj
【請求項３】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備える立体表示装置において、
前記結像手段をフレネルレンズで構成するとともに、
前記フレネルレンズの溝のピッチＰと、前記観察用の瞳の中心から分解能１分で前記表示パネルを望んだときの該表示パネルの表示面上での錯乱径Δeyeとの関係が次の式で表されることを特徴とする立体表示装置。
Ｐ＜１０Δeye
【請求項４】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、
画像入力装置とを備え、
前記結像手段をフレネルレンズで構成するとともに、
前記フレネルレンズの光軸が、前記表示パネルの表示面から外れるように構成したことを特徴とする立体視観察装置。
【請求項５】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備えた立体視観察装置において、
前記投影手段は、更に画像を表示する画像表示素子を有し、
前記表示パネルの投影画像表示面上における、パネル厚と前記散乱手段の散乱角度で決まる錯乱径φと、前記投影手段を介して該表示面上に投影された画像表示素子の画素ピッチΔprojとの関係が次の式で表されることを特徴とする立体視観察装置。
φ＜１０Δproj
【請求項６】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備えた立体視観察装置において、
前記結像手段をフレネルレンズで構成するとともに、
前記フレネルレンズの溝のピッチＰと、前記観察用の瞳の中心から分解能１分で前記表示パネルを望んだときの該表示パネルの表示面上での錯乱径Δeyeとの関係が次の式で表されることを特徴とする立体視観察装置。
Ｐ＜１０Δeye
【請求項７】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記投影手段を介して投影する画像表示素子の開口率が、２０％以上であることを特徴とする立体表示装置。
【請求項８】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記散乱手段を、拡散作用と屈折作用とを奏するホログラムフィルムで構成したことを特徴とする立体表示装置。
【請求項９】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、観察用の瞳位置から前記表示パネルの両端を見込む角度を、水平方向で６度〜６０度の範囲、垂直方向で４度〜５０度の範囲で構成したことを特徴とする立体表示装置。
【請求項１０】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、観察用の瞳位置から前記表示パネルまでの距離を、１５０ｍｍ〜２０００ｍｍの範囲で構成したことを特徴とする立体表示装置。
【請求項１１】
前記観察用の瞳径をφ２０ｍｍ〜φ５００ｍｍの範囲で構成したことを特徴とする請求項１０に記載の立体表示装置。
【請求項１２】
前記観察用の瞳を、最も短手側の長さが２０ｍｍ〜５００ｍｍの範囲の大きさの非円形形状で構成したことを特徴とする請求項１０に記載の立体表示装置。
【請求項１３】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記結像手段の瞳結像倍率を、０．１倍〜１０倍の範囲で構成したことを特徴とする立体表示装置。
【請求項１４】
前記投影手段の開口径を、φ５ｍｍ〜φ５０ｍｍの範囲で構成するとともに、該投影手段を介して投影する画像表示素子を、９００ｍｍ2を超えない面積で構成したことを特徴とする請求項１３に記載の立体表示装置。
【請求項１５】
前記画像表示素子を、４００ｍｍ2を超えない面積で構成したことを特徴とする請求項１４に記載の立体表示装置。
【請求項１６】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記投影手段を介して投影された画像表示素子の前記表示パネルの表示面上での表示面積に対する該表示パネルの面積の比率が、１００％〜５０％の範囲で構成されていることを特徴とする立体表示装置。
【請求項１７】
前記結像手段が、反射型フレネルレンズであることを特徴とする請求項１〜３及び請求項７〜１６のいずれかに記載の立体表示装置。
【請求項１８】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記投影手段を介して投影する画像表示素子の開口率が、２０％以上であることを特徴とする立体視観察装置。
【請求項１９】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記散乱手段を、拡散作用と屈折作用とを奏するホログラムフィルムで構成したことを特徴とする立体視観察装置。
【請求項２０】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、観察用の瞳位置から前記表示パネルの両端を見込む角度が水平方向で６度〜６０度の範囲、垂直方向で４度〜５０度の範囲で構成したことを特徴とする立体視観察装置。
【請求項２１】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、観察用の瞳位置から前記表示パネルまでの距離を、１５０ｍｍ〜２０００ｍｍの範囲で構成したことを特徴とする立体視観察装置。
【請求項２２】
前記観察用の瞳径をφ２０ｍｍ〜φ５００ｍｍの範囲で構成したことを特徴とする請求項２１に記載の立体視観察装置。
【請求項２３】
前記観察用の瞳を、最も短手側の長さが２０ｍｍ〜５００ｍｍの範囲の大きさの非円形形状で構成したことを特徴とする請求項２１に記載の立体視観察装置。
【請求項２４】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記結像手段の瞳結像倍率を、０．１倍〜１０倍の範囲で構成したことを特徴とする立体視観察装置。
【請求項２５】
前記投影手段の開口径を、φ５ｍｍ〜φ５０ｍｍの範囲で構成するとともに、該投影手段を介して投影する画像表示素子を、９００ｍｍ2を超えない面積で構成したことを特徴とする請求項２４に記載の立体視観察装置。
【請求項２６】
前記画像表示素子を、４００ｍｍ2を超えない面積で構成したことを特徴とする請求項２５に記載の立体視観察装置。
【請求項２７】
２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記投影手段を介して投影された画像表示素子の前記表示パネルの表示面上での表示面積に対する該表示パネルの面積の比率が、１００％〜５０％の範囲で構成されていることを特徴とする立体視観察装置。
【請求項２８】
前記結像手段が、反射型フレネルレンズであることを特徴とする請求項４〜６及び請求項１８〜２７のいずれかに記載の立体視観察装置。
【手続補正２】
【補正対象書類名】明細書
【補正対象項目名】００１９
【補正方法】変更
【補正の内容】
【００１９】
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備えた立体視観察装置において、前記結像手段をフレネルレンズで構成するとともに、前記フレネルレンズの溝のピッチＰと、前記観察用の瞳の中心から分解能１分で前記表示パネルを望んだときの該表示パネルの表示面上での錯乱径Δeyeとの関係が次の式で表されることを特徴としている。
Ｐ＜１０Δeye
また、本発明による立体表示装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記投影手段を介して投影する画像表示素子の開口率が、２０％以上であることを特徴としている。
また、本発明による立体表示装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記散乱手段を、拡散作用と屈折作用とを奏するホログラムフィルムで構成したことを特徴としている。
また、本発明による立体表示装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、観察用の瞳位置から前記表示パネルの両端を見込む角度を、水平方向で６度〜６０度の範囲、垂直方向で４度〜５０度の範囲で構成したことを特徴としている。
また、本発明による立体表示装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、観察用の瞳位置から前記表示パネルまでの距離を、１５０ｍｍ〜２０００ｍｍの範囲で構成したことを特徴としている。
また、本発明による立体表示装置は、前記観察用の瞳径をφ２０ｍｍ〜φ５００ｍｍの範囲で構成したことを特徴としている。
また、本発明による立体表示装置は、前記観察用の瞳を、最も短手側の長さが２０ｍｍ〜５００ｍｍの範囲の大きさの非円形形状で構成したことを特徴としている。
また、本発明による立体表示装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記結像手段の瞳結像倍率を、０．１倍〜１０倍の範囲で構成したことを特徴としている。
また、本発明による立体表示装置は、前記投影手段の開口径を、φ５ｍｍ〜φ５０ｍｍの範囲で構成するとともに、該投影手段を介して投影する画像表示素子を、９００ｍｍ2を超えない面積で構成したことを特徴としている。
また、本発明による立体表示装置は、前記画像表示素子を、４００ｍｍ2を超えない面積で構成したことを特徴としている。
また、本発明による立体表示装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備え、前記投影手段を介して投影された画像表示素子の前記表示パネルの表示面上での表示面積に対する該表示パネルの面積の比率が、１００％〜５０％の範囲で構成されていることを特徴としている。
また、本発明による立体表示装置は、前記結像手段が、反射型フレネルレンズであることを特徴としている。
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記投影手段を介して投影する画像表示素子の開口率が、２０％以上であることを特徴としている。
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記散乱手段を、拡散作用と屈折作用とを奏するホログラムフィルムで構成したことを特徴としている。
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、観察用の瞳位置から前記表示パネルの両端を見込む角度が水平方向で６度〜６０度の範囲、垂直方向で４度〜５０度の範囲で構成したことを特徴としている。
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、観察用の瞳位置から前記表示パネルまでの距離を、１５０ｍｍ〜２０００ｍｍの範囲で構成したことを特徴としている。
また、本発明による立体視観察装置は、前記観察用の瞳径をφ２０ｍｍ〜φ５００ｍｍの範囲で構成したことを特徴としている。
また、本発明による立体視観察装置は、前記観察用の瞳を、最も短手側の長さが２０ｍｍ〜５００ｍｍの範囲の大きさの非円形形状で構成したことを特徴としている。
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記結像手段の瞳結像倍率を、０．１倍〜１０倍の範囲で構成したことを特徴としている。
また、本発明による立体視観察装置は、前記投影手段の開口径を、φ５ｍｍ〜φ５０ｍｍの範囲で構成するとともに、該投影手段を介して投影する画像表示素子を、９００ｍｍ2を超えない面積で構成したことを特徴としている。
また、本発明による立体視観察装置は、前記画像表示素子を、４００ｍｍ2を超えない面積で構成したことを特徴としている。
また、本発明による立体視観察装置は、２つの開口から同一平面上に画像を投影する投影手段と、前記平面又は平面近傍に配置された、前記２つの開口像を観察用の瞳位置に結像する結像手段と、散乱作用を奏して前記２つの開口像を拡大する散乱手段とを有する表示パネルとを備えた立体表示装置と、画像入力装置とを備え、前記投影手段を介して投影された画像表示素子の前記表示パネルの表示面上での表示面積に対する該表示パネルの面積の比率が、１００％〜５０％の範囲で構成されていることを特徴としている。
更に、本発明による立体視観察装置は、前記結像手段が、反射型フレネルレンズであることを特徴としている。